(57)【要約】【課題】本発明は、従来のバネ棒式トイレットペーパーホルダーそのものを利用し、ワンタッチでペーパーの交換が出来るようにすると共に、予備のペーパー収納も可能にしたトイレットペーパーホルダー用ペーパー保持具を提供するものである。【解決手段】従来のホルダーのバネ棒の代わりにホルダーに装着するための突起（３）（３′）と傾動可能なペーパー保持腕（２）（２′）を持つ保持部（１）（１′）とその保持部の下部に予備のペーパー収納棚（７）を有することを特徴とする。【選択図】図２
2004097738.tif 000002
【特許請求の範囲】
【請求項１】
従来のバネ棒を必要とする「バネ棒式トイレットペーパーホルダー」の側板（１０）のバネ棒受穴（１１）に嵌め込み装着するための突起（３）（３′）と、傾動可能なペーパー保持腕（２）（２′）を持った保持部（１）（１′）とその保持部の下部に設けられた予備ペーパーロール収納棚（７）からなるトイレットペーパーホルダー用ペーパー保持具。
【発明の詳細な説明】
【０００１】
【発明の属する技術分野】
この発明は、従来のバネ棒を必要とする「バネ棒式トイレットペーパーホルダー」の側板（１０）に、バネ棒に代えて本発明品を装着することによって「予備のペーパー収納付ワンタッチ式トイレットペーパーホルダー」に換装可能にしたトイレットペーパーホルダー用ペーパー保持具に関するものである。
【０００２】
【従来の技術】
従来、トイレットペーパーホルダーは、主として次の（イ）から（ハ）に挙げるようなものが市販されてきた。又、付加器具として（ニ）及び（ホ）のようなものもある。
（イ）主に金属製のホルダー本体と、木製或いはプラスチック製のバネ棒からなり、バネ棒をペーパーの紙管（１３）に通し、バネ棒の両端部小突起をホルダー側板の受穴に嵌め込むことによってペーパーを取り付ける従来からの「バネ棒式トイレットペーパーホルダー」。
（ロ）バネ棒式のペーパー交換が面倒という欠点を無くす為に商品化されたもので、主にプラスチック製で、バネ棒の代わりにホルダーの左右側板に傾動可能なペーパー保持腕を有し、ペーパー交換時はペーパーを下から上へ持ち上げるだけでペーパー保持腕が、勝鬨橋のように傾動し、ペーパーの取り付け取り外しが簡単に行える「ワンタッチ式ペーパーホルダー」。
（ハ）上記（ロ）の「ワンタッチ式ペーパーホルダー」の機能に加え、予備ペーパーの収納棚を設けた「予備ペーパー収納付ワンタッチ式ペーパーホルダー」。
（ニ）従来の「バネ棒式トイレットペーパーホルダー」に装着し、ワンタッチ式にする為の器具。例えば「登録実用新案第３０３３７４８号」のようなもの。
（ホ）予備のペーパー収納器具、例えば「登録実用新案第３０２９５６３号」のようなもの。
【０００３】
【発明が解決しょうとする課題】
これらは次のような欠点があった。
（イ）従来からの「バネ棒式トイレットペーパーホルダー」では、ペーパーの取替え時には、まずペーパーの無くなった紙管（１３）とともにバネ棒をホルダーより抜きとり、紙管を除去して新しいロールペーパーの紙管（１３）にバネ棒を通し、次にホルダー側板のバネ棒受穴にバネ棒両端の小突起を受穴の位置を探りながら嵌め込むと言う手順が必要であった。これはペーパーの交換が大変面倒で、特に高齢者には取替えが困難という欠点があった。
また使用中にペーパーが無くなれば、ホルダー内に予備ペーパーの収納が無いので、予備のペーパーをストックしている所から探し出し、そして取り付けなくてはならないという不便もあった。
（ロ）市販の「ワンタッチ式ペーパーホルダー」は、前述のごとく紙管（１３）にバネ棒を通す作業が不要なので、ペーパーの取替えは非常に簡単である。そのため、トイレのリフォーム時にこのタイプのホルダーに取り替える家庭も多い。しかし、取り替えた場合従来のバネ棒式ホルダーは廃棄処分され無駄になる欠点もある。予備ペーパーの収納部は無いので、収納に困ると言う不便は残る。
（ハ）市販の「予備ペーパー収納付ワンタッチペーパーホルダー」はペーパー交換が容易で、予備ペーパーの収納もあり、トイレットペーパーホルダーとしては最良の物と考えられる。しかし、このタイプのホルダーは高価であり、交換した場合、従来のホルダーはやはり廃棄物となる欠点があった。
（ニ）従来の「バネ棒式トイレットペーパーホルダー」をワンタッチ式への換装用器具類、例えば「登録実用新案第３０３３７４８号」などの付加器具は、既存のホルダーのメーカーの違いにより装着ができない場合もあり、また、予備ペーパー収納棚も考慮されていない。
（ホ）予備のペーパー収納器具、例えば「登録実用新案第３０２９５６３号」などは予備ペーパーの収納機能である。
本発明が解決しようとする課題は、各家庭で使用されている従来の「バネ棒式トイレットペーパーホルダー」に、本発明品を装着するだけで従来品を無駄にすることなく上記の欠点、すなわちペーパーの取替えが面倒で、予備のペーパーの収納に困る、ということを解消した「予備ペーパー収納付トイレットペーパーホルダー」に換装することの出来る器具を提供することを課題とする。
【０００４】
【課題を解決するための手段】
本発明のトイレットペーパーホルダー用ペーパー保持具はその課題を解決した物であって、次のようなものである。
従来のバネ棒式トイレットペーパーホルダーの側板（１０）のバネ棒受穴（１１）に嵌め込む為の突起（３）（３′）及び、傾動可能なペーパー保持腕（２）（２′）を持った保持部（１）（１′）とその下部に設けられた予備ペーパー収納棚（７）からなっている。
保持部に設けられた突起（３）（３′）をバネ棒の代わりにホルダーの受穴（１１）に嵌め込むだけで、バネ棒を使用しているホルダーであればどのメーカーのホルダーにも取り付けが可能となり、下部に設けられた収納棚（７）に置かれた予備ペーパー（１４）をそのまま片手で上に持ち上げるだけで、保持腕（２）（２′）が勝鬨橋のように傾動し、よって簡単なペーパーの取り付け取り外しを可能にすると共に、予備ペーパーの収納も出来ることを要旨とする。
【０００５】
【発明の実施の形態】
以下、本発明の実施の形態について説明する。
従来のバネ棒式トイレットペーパーホルダーの側板（１０）のバネ棒受穴（１１）に嵌め込むように設けられた突起（３）（３′）及び、傾動可能なペーパー保持腕（２）（２′）を持つ保持部（１）（１′）は左右で一対である。
その下に予備ペーパー収納棚（７）が設けられている。
保持部（１）及び（１′）は収納棚（７）を構成する部材でつながり、一体となっているため、ホルダーへの取り付け及びペーパーの保持に機能する。
【０００６】
左右一対の保持部（１）（１′）の外側にある突起（３）（３′）が従来の「バネ棒式トイレットペーパーホルダー」のバネ棒受穴（１１）に嵌り込み、ホルダーへの装着を可能にしている。
また、左右一対の保持部（１）（１′）にはそれぞれ一本のペーパー保持腕（２）（２′）が設けられている。ペーパー保持腕（２）（２′）は棒材をＵ字型に成型し、一端は保持部と共にヒンジを形成している。他端はフリーであるので、ヒンジピン（５）を回転軸として傾動可能である。
【０００７】
一対のペーパー保持腕（２）（２′）は、リターンスプリング（４）とストッパー（６）の働きによって、常態ではゆるやかなハの字型に保たれている。
本実施例では、ペーパー保持腕は棒材をＵ字型に成型した物であるが板状の物でもよく、その常態は突起との位置関係により水平とすることも出来る。
【０００８】
保持部が持つ突起（３）（３′）は本実施例ではピンを保持部にカシメとしているが、プレス成型あるいはその他の成型方法による突起でも良い。
保持腕（２）（２′）はその常態でロールペーパーの紙管（１３）内に入り込み、ロールペーパーを保持するとともに紙を繰り出すときのロールペーパーの回転を妨げないようになっている。
【０００９】
保持部（１）（１′）の下部には棒材をＬ字型に成型した予備ペーパー収納棚（７）が設けられており、Ｌ字型の水平部に予備のペーパーを載せて収納する。保持部（１）（１′）と収納棚（７）の接合は溶接かネジ止めあるいは一体成型でもよい。本実施例では収納棚は棒材となっているが、板状、箱状あるいは箱状に埃よけの蓋を設けたものとすることも出来る。
左右一対の保持部（１）（１′）の突起間の幅はホルダーの側板（１０）の内幅よりやや広く作られているため、ホルダーの受穴（１１）に嵌め込んだときに突起（３）（３′）が受穴（１１）に嵌り込み、容易に逸脱しないようになっている。本発明は、以上のような構造である。
【０００１０】
本発明品を既存の「バネ棒式トイレットペーパーホルダー」に装着するときは、まず既存のホルダーのバネ棒を取り除き、本発明品の保持部（１）（１′）の突起（３）（３′）をホルダー側板（１０）のバネ棒受穴（１１）に嵌め込み取り付ける。
嵌め込む時、左右突起間の幅をホルダー両側板の内幅まで両手で押し狭め、ホルダーの両側板間に挿入し、受穴（１１）に突起（３）（３′）を嵌め込む。
ホルダーの受穴（１１）に嵌め込まれた突起（３）（３′）は、収納棚（７）を構成している部材の剛性によるバネ効果（すなわち、押し狭められたために発生した内部応力による反発力）で両側の側板（１０）を突っ張り、通常の使用では外れることはない。
本実施例では、保持部（１）（１′）より、下垂しているＬ字型収納棚（７）の垂直部材のバネ効果で、ホルダーの受穴（１１）にしっかりと止まるようになっているが、他の方法とすることも出来る。
例えば、保持部（１）（１′）にある突起（３）（３′）をバネやゴム等の弾性体で支持、あるいは弾性体で突起を形成し、そのバネ効果によって取り付けをする様に製作することも出来る。
【０００１１】
ペーパーの取替えの時は、紙の無くなったペーパーの紙管（１３）をそのまま上に持ち上げることにより保持腕（２）（２′）がリターンスプリング（４）の力に抗して勝鬨橋のように傾動し、ほぼ垂直になったところで、紙管（１３）は保持腕より解除され、取り除くことができる。
新しいペーパーをセットするときはペーパー収納棚（７）の上におかれた予備ペーパー（１４）をそのまま片手で上に持ち上げ、保持腕（２）（２′）をバネの力に抗して上方に押し上げ、保持腕がロールペーパーの紙管（１３）の空洞内に入ったところで少し下に降ろせば、保持腕がリターンスプリングの作用で常態に戻り、新しいペーパーがセットされる。
空になった予備収納棚（７）には新しいペーパーを予備として収納しておく、以上のようにペーパーの交換を行う。
【０００１２】
【発明の効果】
従来の「バネ棒式トイレットペーパーホルダー」に、バネ棒に代えて本発明品を装着するだけで、各家庭で使用されている従来のホルダーを無駄にすることなく、「予備ペーパー収納付トイレットペーパーホルダー」に換装できる。これによりペーパーの交換が誰にでも簡単に出来るようになり、また予備のペーパーの収納に困ることが無くなった。
【図面の簡単な説明】
以下は本発明の一実施例を示す図面である。
【図１】本発明の側面図である。
【図２】本発明の正面図である。
【図３】本発明の保持部の拡大図である。
【図４】保持部のＡ矢視図である。
【図５】保持部のＢ矢視図である。
【符号の説明】
１　　保持部（右側）
１′　保持部（左側）
２　　ペーパー保持腕（右側）
２′　ペーパー保持腕（左側）
３　　突起（右側）
３′　突起（左側）
４　　リターンスプリング
５　　ヒンジピン
６　　ストッパー
７　　収納棚
１０　従来の「バネ棒式トイレットペーパーホルダー」の側板
１１　従来の「バネ棒式トイレットペーパーホルダー」の側板内バネ棒受穴
１２　トイレットペーパー（セットされたもの）
１３　紙管
１４　トイレットペーパー（予備）
【図１】
2004097738.tif 000003
【図２】
2004097738.tif 000004
【図３】
2004097738.tif 000005
【図４】
2004097738.tif 000006
【図５】
2004097738.tif 000007